(57)【要約】ネットワーク監視制御システムに関し、特にネットワークを形成する複数の伝送装置とそれらを遠隔から監視制御する監視制御装置との間にゲートウェイサーバを配置することで伝送装置の負荷分散制御を行なう。ネットワーク監視制御システムは、監視装置と、複数の伝送装置と、前記複数の伝送装置のうちネットワーク内のトラフィック情報のゲートウェイ機能を有する少なくとも１つの特定伝送装置と、ゲートウェイサーバと、で構成され、ゲートウェイサーバは、特定伝送装置から送られるネットワーク内のトラフィック状況を監視して、所定のトラフィック情報が所定の閾値を超えた場合に新たな特定伝送装置との間に監視回線をリンクアップする。
2002045352.tif 000002
【特許請求の範囲】
【請求項１】
ネットワークを監視制御する監視装置と、
相互に接続されてネットワークを形成する複数の伝送装置と、
前記複数の伝送装置のうちで、ネットワーク内のトラフィック情報のゲートウェイ機能を有する少なくとも１つの特定伝送装置と、
前記監視装置と前記特定伝送装置との間に配置され、それらの間を接続するゲートウェイサーバと、で構成され、
前記ゲートウェイサーバは、前記特定伝送装置から送られるネットワーク内のトラフィック状況を監視して、所定のトラフィック情報が所定の閾値を超えた場合に、前記特定伝送装置以外の伝送装置を新たな特定伝送装置に指定してその間に新たな監視回線をリンクアップすることを特徴とするネットワーク監視制御システム。
【請求項２】
前記特定伝送装置は、前記ゲートウェイサーバが送信した所定のデータ処理時間を測定するコマンドに対する演算処理を実行する負荷演算処理部を有する、請求項１記載のシステム。
【請求項３】
前記ゲートウェイサーバは、
前記所定の閾値を保持する閾値設定部と、
前記所定のトラフィック状況を監視し、それと前記閾値設定部の所定の閾値とを比較し、所定のトラフィック情報が所定の閾値を超えた場合にその旨を通知する負荷監視部と、
前記所定のデータ処理時間を測定するコマンドを送信し、前記負荷監視部からの通知によって前記特定伝送装置以外の伝送装置を新たな特定伝送装置に指定してその間に新たな監視回線をリンクアップし、さらに所定の条件下におけるリンク解除によってＧＮＥの負荷分散制御を行なうＧＮＥ分散制御部と、を有する、請求項２記載のシステム。
【請求項４】
前記閾値設定部の所定の閾値は、固定値もしくは所定の条件によって動的に変化する値である、請求項３記載のシステム。
【請求項５】
ネットワークを監視制御する複数の監視装置と、
前記複数の監視装置の各々に備えられたデータベースと、
相互に接続されてネットワークを形成する複数の伝送装置と、
前記複数の伝送装置のうちで、ネットワーク内のトラフィック情報のゲートウェイ機能を有する少なくとも１つの特定伝送装置と、
前記マスタ及びサブ監視装置と前記特定伝送装置との間に配置され、それらの間を接続するゲートウェイサーバと、で構成され、
前記ゲートウェイサーバは、前記複数のデータベース相互の整合状態を監視し、それらの間にデータ内容の不一致を検出したときは、特定のデータベースのデータ内容に他のデータベースのデータ内容を一致させることを特徴とするネットワーク監視制御システム。
【請求項６】
記複数の監視装置は、マスタ監視装置とサブ監視装置からなり、
前記ゲートウェイサーバは、
前記マスタ及びサブ監視装置からの各データベース内容のチェックサム情報を監視するマスタ／サブ監視部と、
前記チェックサム情報の比較を行い、それらが不一致の場合にその旨を通知するデータベース比較部と、
前記通知によってマスタ監視装置のデータベースの内容にサブ監視装置のデータベースの内容を一致させるマスタ／サブ制御部と、
を有する、請求項５記載のシステム。
【請求項７】
前記ゲートウェイサーバは、さらに前記特定伝送装置から送られるネットワーク内のトラフィック状況を監視して、所定のトラフィック情報が所定の閾値を超えた場合に、前記特定伝送装置以外の伝送装置を新たな特定伝送装置に指定してその間に新たな監視回線をリンクアップする、請求項５又は６記載のシステム。
【請求項８】
前記ネットワークは、前記複数の伝送装置をリング状に接続し、ＳＤＨ信号を伝送するリングネットワークであり、
前記特定伝送装置は、前記リングネットワークにおけるＧＮＥであり、
前記トラフィックは、前記リングネットワーク内のＤＣＣトラフィックである、請求項１〜７のいずれか一つに記載のシステム。
【発明の詳細な説明】
技術分野
本発明はネットワーク監視制御システムに関し、特に東京や大阪等の大都市間を結ぶ基幹回線等に用いられるリング型ネットワークを構成する複数の伝送装置とそれらを遠隔から監視制御する監視制御装置に関するものである。このようなネットワークにおいて、各伝送装置は監視制御用回線（以下「ＤＣＣ（Ｄａｔａ　Ｃｏｍｍｕｎｉｃａｔｉｏｎ　Ｃｈａｎｎｅｌ）」と称す））を経由して相互に監視制御情報の通信を行い、また監視制御装置はその内の特定の伝送装置（以下「ＧＮＥ（Ｇａｔｅｗａｙ　Ｎｅｔｗｏｒｋ　Ｅｑｕｉｐｍｅｎｔ）」と称す）と物理的に接続され、該当リング型ネットワークの監視制御を実施するために前記ＧＮＥとの間で所定の通信プロトコルに基づく監視制御情報の通信を行なう。
背景技術
従来においてリング型ネットワークを監視制御する場合に、ネットワーク内の１台の伝送装置をＧＮＥとして割り付け、監視装置が前記ＧＮＥを経由してリング内における他の全ての伝送装置を監視制御していた。このため以下に示すような問題があった。
（１）伝送装置に障害等が多発等によりＤＣＣトラフィックが増大した場合、監視装置−ＧＮＥ−伝送装置間で通信トラフィックが急増し、特に監視装置と接続されるＧＮＥの処理負荷が増大し、結果的に監視装置の伝送装置に対する諸操作の処理性能およびレスポンスが低下するという問題があった。
（２）ＧＮＥ自体が障害等でダウンした場合、監視装置は伝送装置との通信経路を断たれるため、当該ネットワークの監視制御が実行不可能状態に陥ってネットワーク運用が困難になるという問題があった。
（３）監視制御対象である１つのリング型ネットワーク内の伝送装置数が増加した場合、それに比例して監視装置−ＧＮＥ−伝送装置間の通信トラフィックが増加し、上記（１）の場合と同様にＧＮＥでの処理負荷が増大する結果として監視装置の処理性能およびレスポンスが低下し、さらには監視装置が処理すべき伝送装置数の増加によりその処理負荷自体が増加することで監視装置に対するオペレータの操作性が悪化するという問題があった。
以上より、ＧＮＥの負荷が上昇した場合やＧＮＥに障害が発生した場合にも安定的にリング型ネットワークを監視制御可能な監視制御方式が必要となる。
発明の開示
そこで本発明の目的は、前述の問題点を踏まえ、次に示す課題を解決するものである。すなわち、１）ネットワーク内伝送装置における障害多発時等でも、監視装置における伝送装置に対する諸操作レスポンスを確保する、２）ＧＮＥ自体が障害等でダウンした場合でも、監視装置の動作を保証しネットワーク運用その影響を最小限に抑える、そして３）１つのリング型ネットワーク内の伝送装置が増加した場合、またリング型ネットワーク数が増加した場合でも監視装置における伝送装置に対する諸操作のレスポンスを確保し、ネットワーク運用への影響を最小限に抑える。
本発明によれば、ネットワークを監視制御する監視装置と、相互に接続されてネットワークを形成する複数の伝送装置と、前記複数の伝送装置のうちで、ネットワーク内のトラフィック情報のゲートウェイ機能を有する少なくとも１つの特定伝送装置と、前記監視装置と前記特定伝送装置との間に配置され、それらの間を接続するゲートウェイサーバと、で構成され、前記ゲートウェイサーバは、前記特定伝送装置から送られるネットワーク内のトラフィック状況を監視して、所定のトラフィック情報が所定の閾値を超えた場合に、前記特定伝送装置以外の伝送装置を新たな特定伝送装置に指定してその間に新たな監視回線をリンクアップするネットワーク監視制御システムが提供される。
また本発明によれば、ネットワークを監視制御する複数の監視装置と、前記複数の監視装置の各々に備えられたデータベースと、相互に接続されてネットワークを形成する複数の伝送装置と、前記複数の伝送装置のうちで、ネットワーク内のトラフィック情報のゲートウェイ機能を有する少なくとも１つの特定伝送装置と、前記マスタ及びサブ監視装置と前記特定伝送装置との間に配置され、それらの間を接続するゲートウェイサーバと、で構成され、前記ゲートウェイサーバは、前記複数のデータベース相互の整合状態を監視し、それらの間にデータ内容の不一致を検出したときは、特定のデータベースのデータ内容に他のデータベースのデータ内容を一致させるネットワーク監視制御システムが提供される。
発明を実施するための最良の形態
図１は、本発明によるネットワークにおける監視制御システムの基本構成例を示したものである。
図１において、光ケーブル２３によってリング状に接続された各伝送装置１２〜１５は、リングネットワーク内で互いに監視制御情報の通信を行なう。前記監視制御情報は、光ケーブル２３上に伝送されるＳＤＨ光信号のＳＤＨヘッダ情報Ｄ１、Ｄ２、Ｄ３として転送される。図１にはこれを各伝送装置間の監視制御用回線（ＤＣＣチャネル２４）として点線で表している。監視装置１０は、該当リング型ネットワークの監視制御を実施するためにゲートウェイサーバ（ＧＷＳ）１１を介して前記各伝送装置１２〜１５の内の特定の伝送装置（ＧＮＥ）と物理的に接続され、所定の通信プロトコルに基づいて監視制御情報の通信を行なう。本例では、ゲートウェイサーバ１１と複数のＧＮＥ（本例では２つのＧＮＥ１２及びＧＮＥ１３）との間にそれぞれ別のケーブルを使った物理的なリンク２１及び２２が張られる。
図２は、本発明によるＧＮＥの一構成例を示したものである。
一般の伝送装置１２〜１５は、図２にも示されているように他の伝送装置とリング上に接続するためのＳＤＨ高速光信号インタフェース３１、３２を備えた高速回線インタフェース部（高速ＩＦ部）と、各伝送装置の配下のネットワークを構成する機器、例えば交換機、ルータ、低速伝送装置等、と接続するための低速ＳＤＨ光信号やデジタル回線・ＬＡＮ等が対象となる電気信号インタフェース３３、３４を備えた低速回線インタフェース部（低速ＩＦ部）と、前記高速及び低速回線インタフェース部との間のクロスコネクト処理を行なうクロスコネクト（ＸＣ）部３５やＤＣＣ信号の監視制御を行なうＤＣＣ処理部３７等を備えた伝送制御部とで構成される。ＤＣＣ処理部３７では、ＳＤＨヘッダの分解／組立処理を行い、アドレス情報、ヘルスチェック情報、警告情報の分離・処理・挿入等の処理によって生成されたＤＣＣ情報を各伝送装置間に転送する。
本発明によるＧＮＥ１２、１３の場合は、さらに外部の監視装置１０や本発明によるゲートウェイサーバ１１と接続するための外部インタフェース、例えば１０又は１００Ｂａｓｅ−Ｔ等のＬＡＮインタフェースやＩＳＤＮ回線インタフェースを有する。さらに、前記ＤＣＣ処理部３７のＤＣＣトラフィック状況に対する種々のトラフィック統計演算処理を実行し、またゲートウェイサーバ１１から受信するＤＣＣトラフィックチェックコマンドを実行して、それらの処理結果を前記外部インタフェースを介して監視装置１０やゲートウェイサーバ１１に送出するＤＣＣ負荷演算部３６とを備える。
ゲートウェイサーバ１１は、初期設定等によりＧＮＥとして設定された伝送装置１２（以降、「第１のＧＮＥ」と称す）のＤＣＣ負荷演算部３６から自律的に通知されるか又はゲートウェイサーバ１１が送出したコマンドに対する応答として通知される演算処理結果によってネットワークのトラフィック状況を判断し、同トラフィックが所定の閾値を超えた時に予約してある別の第２のＧＮＥ１３との間に新たな監視回線２２をリンクアップする。これにより、第１のＧＮＥ１２における処理負荷を分散させることができる。すなわち、監視装置１０から各伝送装置に送信されるコマンドを第１のＧＮＥ１２と第２のＧＮＥ１３に振り分けて送信することで、第１のＧＮＥ１２にだけ偏っている負荷の軽減が達成される。また、第２のＧＮＥ１３で得たＤＣＣトラフィック情報や他の伝送装置から受信したＤＣＣトラフィック情報等も、第２のＧＮＥ１３がゲートウェイサーバ１１へ直接送信するため更に輻輳したトラフィックの分散化が達成される。
図３は、本発明によるゲートウェイサーバの一構成例を示したものである。
図３において、監視装置１０側と接続する回線インタフェース４１は、１０又は１００Ｂａｓｅ−Ｔ等のＬＡＮインタフェースを使用している。一方、ＧＮＥ１２、１３側と接続する回線インタフェース４５には、１０又は１００Ｂａｓｅ−Ｔ等のＬＡＮインタフェースの他に、遠隔地にある伝送装置と接続するためのＩＳＤＮ回線インタフェース等も使用される。ここでは、図１の例との関連からゲートウェイサーバ１１のＧＮＥ制御部４４について説明する。
先ず、ＧＮＥ分散制御部５８は、稼動中の第１のＧＮＥ１２のＤＣＣトラフィック状況をチェックするために回線インタフェース４５を介して所定のコマンドを送出する。このコマンドは、以降の例で説明するように例えば伝文処理遅延時間等を診断するためのものである。前記コマンドを受信した第１のＧＮＥ１２は、ＤＣＣ負荷演算部３６によって対応する処理結果をゲートウェイサーバ１１へ返送する。回線インタフェース４５を介して第１のＧＮＥ１２から受信するＤＣＣトラフィック情報はＤＣＣ負荷監視部５６で常時監視されており、ＤＣＣ負荷監視部５６はそれと閾値設定部５５に予め設定してある所定の閾値と比較する。そして、ＤＣＣトラフィック情報が前記閾値をこえるとその旨をＧＮＥ登録番号と共にＧＮＥ分散制御部５８に通知する。
ＧＮＥ分散制御部５８は、前記通知によりＧＮＥ登録部５７に次のＧＮＥとして一意に指定してある伝送装置１３に対しその旨を通知する。第２のＧＮＥとなった伝送装置１３は第１のＧＮＥ１２と同様のＧＮＥ処理を実行する。なお、前記所定の閾値は固定的なものであってもよいし、動的に変化するものであってもよい。後者の例としては、一日の時間帯、休日、災害発生時、特別の行事、一年を通じた季節による変動、等によって各トラフィック統計情報量の閾値を適宜変更することが考えられる。また、ＧＮＥ登録部には複数の伝送装置１３〜１５を登録しておき、ＧＮＥ分散制御部５８が次のＧＮＥ指定時に登録してある他の伝送装置１３〜１５との通信確立処理を行い、通信確立可能な伝送装置の内の１つを第二ＧＮＥとして設定してもよい。
サーバ制御部４３は、クライアントである各ＧＮＥ１２、１３から通知されたトラフィック情報に基づいて上述したＧＮＥ制御部４４における処理等を統括的に制御し、その際に必要な情報は上位の監視装置１０へ通知する。一方、オペレータの操作等による監視装置１０からの指示を受けてサーバ内部の設定を変更したり、また適宜必要な情報やヘルスチェック等の指示を配下のＧＮＥ１２，１３や他のＧＮＥ以外の伝送装置１４、１５等に与える。なお、ここではゲートウェイサーバ１１における監視装置制御部４２の説明は行なわない。これについては後述する図６の本発明の実施例と関連して説明する。
図４は、図１のリンク切替えシーケンスの一例を示したものである。
図４において、監視装置１０は、オペレータによるマニュアル操作や定期的に起動されるヘルスチェックプログラムルーチンによって、リングネットワーク内の各伝送装置１２、１４等にヘルスチェックコマンドを送信し、その応答によって伝送装置１２、１４及びその間の伝送ケーブル等の正常性を確認する（Ｓ１０１及び１０２）。このように監視装置１０は、伝送装置１２〜１５が自律的に通知してくる情報、および監視装置１０から伝送装置１２〜１５に対して発行するヘルスチェックコマンドの結果に基づいて監視を実施する。
一方、ゲートウェイサーバ１１の分散制御部５８は、自らのクライアントである第１のＧＮＥ１２に対して、独自にＤＣＣトラフィック状況の診断コマンドを送出する。本例ではその一例として、定期的にＧＮＥ１２の伝聞処理時間をチェックするコマンドを送出する（Ｓ２０１）。第１のＧＮＥ１２ではそのＤＣＣ負荷演算部３６で処理した対応する演算結果（伝聞処理時間＝ｎ）をゲートウェイサーバ１１へ返送する。ゲートウェイサーバ１１のＤＣＣ負荷監視部５６は受信した演算結果ｎと閾値設定部５５に設定された所定の閾値ｍとを比較して、ｍ＜ｎの場合には高トラフィック状態にあると判断してその旨をＧＮＥ分散処理部５８に通知する（Ｓ２０３）。この場合に本例ではＧＮＥ分散処理部５８がＧＮＥ登録部５７から第２のＧＮＥ１３を選定し、第２のＧＮＥ１３に対して新たなリンクを設定した旨を通知する（Ｓ２０４）。それに対して、第２のＧＮＥ１３は承諾した旨の応答をゲートウェイサーバ１１に返送する（Ｓ２０５）。
以降、ゲートウェイサーバ１１の分散制御部５８は、クライアントである第１のＧＮＥ１２及び第２のＧＮＥ１３のそれぞれに伝聞処理時間チェックコマンドを順次送出する（Ｓ２０４及び２０９）。各ＧＮＥ１２及び１３からは対応する演算結果（伝聞処理時間＝ｐ及びｑ）がゲートウェイサーバ１１に返送され（Ｓ２０５及び２１０）、本例ではｍ＞ｐ及びｍ＞ｑとなり、第１のＧＮＥ１２及び第２のＧＮＥ１３のいずれもＤＣＣトラフィック許容範囲内で正常動作していることが確認される（Ｓ２０６〜２０８及び２１１）。なお、演算結果ｐ、ｑのいずれかが閾値ｍを越える場合には、それについてさらに輻輳したトラフィックの分散化が行なわれる。
なお、図４にはトラフィックが増大した時の処理について示したが、それ以外でも、例えばＧＮＥがダウンした場合に監視処理を継続させるためにオペレータによる操作又は自動的に同様の手順でゲートウェイサーバ１１と別のＧＮＥとの間に新たな監視回線をリンクアップするようにしてもよい。また、ゲートウェイサーバ１１の分散制御部５８はその監視処理によってＧＮＥ動作の停止／再開を指示できるように構成してもよい。この場合、監視対象となるＧＮＥの数をＤＣＣトラフィック状況に応じて適宜減少させることで低負荷状況におけるゲートウェイサーバ１１自身の処理負荷が低減され、サーバ処理の高速化及び処理オーバーの防止が達成される。これらによってネットワーク状況に応じた運用形態を適宜維持することができる。
図５は、図１の変形態様例を示したものである。
図５では、監視装置１０の内部にゲートウェイサーバ１１の機能が一体として組み込まれている。この場合、図１における監視装置１０とゲートウェイサーバ１１との間のインタフェース機能やその間を接続するケーブル等が不要となる利点がある。しかしながら、１つの監視装置内部で監視装置機能とゲートウェイサーバ機能とを同時に実行させる必要から、図１の構成に対して処理性能の低下は否めずコストパフォーマンスを優先する事業所内ネットワーク等の小規模なネットワークに適した構成である。なお、動作自体はこれまでに説明したものと同様であり、ここではそれについて説明しない。
図６は、本発明によるネットワーク監視制御システムの別の構成例を示した図である。
図６から分かるように、ゲートウェイサーバ１１及び伝送装置１２〜１５の構成は図１と同じでありその動作内容も同様である。本例の特徴はマスタの監視装置１０ｍ及びサブの監視装置１０ｓの２つの監視装置を設け、さらにその各々に対してネットワーク監視情報を保持するデータベース１６ｍ、１６ｓを設けた点にある。この場合のゲートウェイサーバ１１の構成について図３を使って説明する。監視装置制御部４２はマスタ及びサブの個々の監視装置に対して状態確認を実施するマスタ監視部５１とサブ監視部５２と、マスタ及びサブの２つのデータベース１６ｍ及び１６ｓの内容を比較するデータベース比較部５３と、互いのデータベース内容を一致させるように制御するマスタ／サブ制御部５４とを有する。データベースへのデータ書き込み時若しくは定期的にマスタ監視部５１及びサブ監視部５２が収集した２つのデータベース１６ｍ及び１６ｓの各内容はデータベース比較部５３によって比較され、それらの間に差分が検出された場合にはマスタ／サブ制御部５４がサブ監視装置１０ｓに対してサブ側のデータベース１６ｓの内容をマスタ側のデータベース１６ｍの内容に補正する処理を実行する。これによって複数監視装置間での状態不一致が防止される。
図７には、図６におけるデータベースの一致シーケンスの一例を示している。なお、ここではマスタ制御装置１０ｍだけがコマンドを送出することができ、そのレスポンスについてはマスタ制御装置１０ｍ及びサブ制御装置１０ｓの双方が受信して、それを各々のデータベース１６ｍ及び１６ｓに書き込む構成としている。
図７では、マスタ制御装置１０ｍがゲートウェイサーバ１１を介して伝送装置ｎに対してパスの追加コマンドを送出した例を示しており、伝送装置ｎはそれに対応したレスポンス（例えば、パス登録完了）を返送する（Ｓ３０１及び３０２）。このレスポンスをマスタ制御装置１０ｍ及びサブ制御装置１０ｓの双方が受信して自身のデータベース１６ｍ及び１６ｓに書き込む（Ｓ３０４及び３０４’）。これにより、通常はマスタ及びサブの各データベース内容は互いに一致している。レスポンスを受信したマスタ及びサブの各制御装置１０ｍ、１０ｓはデータベース書き込みの結果得られたそれぞれのデータベース総合チェックサム（Ｍ、ｍ）をゲートウェイサーバ１１に通知する（Ｓ３０５及び３０６）。
ゲートウェイサーバ１１は、それらをマスタ監視部５１及びサブ監視部５２を介して受信し、データベース比較部５３で比較する。本例では何らかの原因により受信したデータベース総合チェックサムが不一致となった場合を示しており（Ｓ３０７）、この場合にはマスタ／サブ制御部５４がマスタ及びサブの各制御装置１０ｍ、１０ｓに対して今回の書き込みに関するデータベース個別チェックサム要求を送出する（Ｓ３０８及び３０９）。そしてその応答内容であるデータベース個別チェックサムの個々のデータを比較し（Ａとａ、Ｂとｂ、Ｃとｃ、Ｄとｄ）、本例ではＣとｃの不一致を検出する（Ｓ３１０〜３１２）。
その結果、マスタ／サブ制御部５４がマスタ制御装置１０ｍに対してデータＣの転送を指示し、それをサブ制御装置１０ｓへデータｃとして転送する（Ｓ３１３及び３１４）。ここでは、ゲートウェイサーバ１１がデータｃの転送を中継するか、又はマスタ制御装置１０ｍが直接サブ制御装置１０ｓにデータｃを転送してもよい。サブ制御装置１０ｓは受信したデータｃをデータベース１６ｓに書き込んだ後、その確認のためにデータベース総合チェックサム通知をゲートウェイサーバ１１へ送出する（Ｓ３１５及び３１７）。一方、マスタ制御装置１０ｍもデータベース総合チェックサム通知をゲートウェイサーバ１１における比較のために送出し、これによりマスタ及びサブの双方のデータベースが一致することになる（Ｓ３１６及び３１８）。
なお、上記ではマスタ制御装置１０ｍが送出したコマンドに対するレスポンスをマスタ制御装置１０ｍ及びサブ制御装置１０ｓの双方が受信する例を示したが、そのようなレスポンスをサブ制御装置１０ｓが直接受信することなくサブ制御装置１０ｓのデータベース１６ｓの書き込みは全てゲートウェイサーバ１１を介して実行することもできる。この場合は、図７のステップＳ３０７に相当する処理は必ず不一致となり結果的に以降のステップが実行されてマスタ及びサブの双方のデータベースが一致することになる（Ｓ３０８〜３１８）。
図８は、監視装置のデータベース内容の一例を示したものである。
本例の各監視装置は、一例としてネットワーク登録情報、装置登録情報、パス登録情報、アラーム情報、テスト情報等を有し、情報毎に更新日時、チェックサムを具備する。また、監視装置内の全データベースのチェックサムを併せ持つ。最右欄が前述したデータベース総合チェックサム（ＡＡＡＡ）であり、その１つ左欄がデータベース個別チェックサムの欄である。図７の例でいえば、先ずマスタ及びサブの各制御装置１０ｍ及び１０ｓから送られてきたそれぞれのデータベース総合チェックサムＡＡＡＡをゲートウェイサーバ１１で比較し、一致しない場合にはゲートウェイサーバ１１がデータベース個別チェックサムの送出を要求する。それにより各制御装置１０ｍ及び１０ｓはそれぞれのデータベース個別チェックサム（ａａａ、ｂｂｂｂ、ｃｃｃｃ、ｄｄｄｄ、・・・）を返送する。この場合、パス登録情報の情報チェックサムｃｃｃｃが不一致となり、ゲートウェイサーバ１１はマスタ制御装置１０ｍにパス登録情報の転送を要求し、それをサブ制御装置１０ｓに送出する。サブ制御装置１０ｓではパス登録情報に関するサブデータベース１６ｓの更新を行なう。最後に、再びマスタ及びサブの各制御装置１０ｍ及び１０ｓから送られてきたそれぞれのデータベース総合チェックサムＡＡＡＡをゲートウェイサーバ１１で比較しその一致を確認する。
なお、図７及び８の例では、各監視装置のデータベース更新時にデータベース情報をゲートウェイサーバ１１へ送信する例を示したが、それに限らすマスタ及びサブ監視装置１０ｍ、１０ｓが図８に示すデータベース情報をゲートウェイサーバ１１に常時送信するようにしてもよい。また、ゲートウェイサーバ１１はデータベース個別チェックサムを比較して差分のある情報を特定した際に、その情報の更新日時（ＹＹＭＭＤＤＳＳ）を参照し、どちらのデータベースが最新かを判断し、マスタであるか又はサブであるかを問わずに双方のデータベース１６ｍ及び１６ｓを最新のものに一致させるようにしてもよい。
また、オペレータ操作を介在させる場合には以下のような手順が考えられる。ゲートウェイサーバ１１がデータベースに差分が発生していることを両監視装置１０ｍ、１０ｓに送信し、監視制御装置画面に警告文をポップアップさせたりブザー音を鳴動させたりすることでオペレータに警告通知する。この警告通知を受けたオペレータはデータベース一致作業を行い、両監視装置のデータベースを一致させるコマンドを発行し、更新日時の新しいデータベースをもう一方の監視装置のデータベースに転送し、自動的に両監視装置のデータベースを一致させる。
以上のべたように、本発明によれば、ネットワーク内伝送装置における障害多発時等でも、監視装置における伝送装置に対する諸操作レスポンスを確保される。また、ＧＮＥ自体が障害等でダウンした場合でも、監視装置の動作を保証しネットワーク運用その影響を最小限に抑えることができる。さらに、１つのリング型ネットワーク内の伝送装置が増加した場合、またリング型ネットワーク数が増加した場合でも監視装置における伝送装置に対する諸操作のレスポンスを確保し、ネットワーク運用への影響を最小限に抑えることができる。
【図面の簡単な説明】
図１は、本発明によるネットワーク監視制御システムの基本構成例を示した図である。
図２は、本発明によるＧＮＥの一構成例を示した図である。
図３は、本発明によるゲートウェイサーバの一構成例を示した図である。
図４は、図１のリンク切替えシーケンスの一例を示した図である。
図５は、図１の変形態様例を示した図である。
図６は、本発明によるネットワーク監視制御システムの別の構成例を示した図である。
図７は、図６のデータベース一致シーケンスの一例を示した図である。
図８は、監視装置のデータベース内容の一例を示した図である。
【図１】
2002045352.tif 000003
【図２】
2002045352.tif 000004
【図３】
2002045352.tif 000005
【図４】
2002045352.tif 000006
【図５】
2002045352.tif 000007
【図６】
2002045352.tif 000008
【図７】
2002045352.tif 000009
【図８】
2002045352.tif 000010
【国際調査報告】
2002045352.tif 000011
2002045352.tif 000012
2002045352.tif 000013
2002045352.tif 000014
2002045352.tif 000015